(57)【要約】【課題】収集したコンテンツデータの表示能力を向上させることができる通信端末装置を提供する。【解決手段】オートパイロットプログラム２１を実行することによって、インターネット１０を介して通信部４とコンテンツサーバ１１とが接続され、ユーザによって入力されたＵＲＬおよび接続時刻などに基づいて、コンテンツサーバ１１から所望のコンテンツデータが自動的に収集され、取得コンテンツデータ記憶部３２に記憶される。取得コンテンツデータ記憶部３２に記憶されたコンテンツデータを取出し、コンテンツデータ縮小プログラム２３を実行して、前記コンテンツデータのサムネイルを生成する。生成したサムネイルは、予めユーザによって定められた優先順位に従って表示部７に表示され、ユーザが表示されたサムネイルを選択すると、そのサムネイルが表示部７に等倍表示される。【選択図】      図１
2004206464.tif 000002
【特許請求の範囲】
【請求項１】
インターネットを介して、コンテンツデータを提供するコンテンツサーバと通信を行う通信手段と、
予めユーザが指定したコンテンツデータに関する情報を登録するコンテンツデータ指定登録手段と、
前記通信手段によってコンテンツサーバと接続し、接続されたコンテンツサーバを自動的に巡回して、前記コンテンツデータ指定登録手段に登録されたコンテンツデータに関する情報に基づいて、コンテンツデータを収集するコンテンツデータ収集手段と、
前記コンテンツ収集手段によって収集されたコンテンツデータを記憶するコンテンツデータ記憶手段と、
前記コンテンツデータ記憶手段に記憶されたコンテンツデータに基づいて、縮小画像を生成する縮小画像生成手段と、
前記コンテンツ収集手段によって収集されたコンテンツデータおよび前記縮小画像生成手段によって生成された縮小画像の少なくともいずれか一方を表示する表示手段と、
予め定めた数の前記縮小画像を前記表示手段に配列し、かつ表示するように制御する表示制御手段と、
前記表示手段に表示された縮小画像の中から選択された縮小画像を原寸法の画像に伸長して表示手段に表示するコンテンツデータ拡大表示手段とを含むことを特徴とする通信端末装置。
【請求項２】
前記コンテンツデータに関する情報は、表示手段に表示するコンテンツデータの優先順位を含み、
前記表示制御手段は、前記コンテンツデータの優先順位に基づいて、予め定めた数の縮小画像を表示手段に配列し、かつ表示するように制御することを特徴とする請求項１記載の通信端末装置。
【請求項３】
前記コンテンツデータ記憶手段に記憶されたコンテンツデータの数が、予め定めた表示手段に優先して表示させるコンテンツデータの数を超えたときは、前記予め定めた数のコンテンツデータの縮小画像を表示手段に表示し、かつ予め定めた数を超えた数のコンテンツデータのタイトルを表示手段に表示することを特徴とする請求項１または２記載の通信端末装置。
【請求項４】
前記コンテンツデータに関する情報は、コンテンツデータの所在を示すユニフォーム・リソース・ロケータ、コンテンツサーバを巡回する頻度およびコンテンツサーバからコンテンツデータを収集する日時を含むことを特徴とする請求項１〜３のいずれか１つに記載の通信端末装置。
【請求項５】
前記コンテンツデータに関する情報は、コンテンツデータを収集する日時に、コンテンツサーバとの接続が不可能であった場合に、再度、コンテンツサーバとの接続動作を行うか否かを示す再接続情報および再接続の頻度を示す再接続頻度情報を含むことを特徴とする請求項１〜４のいずれか１つに記載の通信端末装置。
【請求項６】
インターネットに接続して所望するコンテンツデータを検索し、検索したコンテンツデータを保有する前記コンテンツサーバに接続して、前記コンテンツデータを閲覧するコンテンツデータ接続閲覧手段を含むことを特徴とする請求項１〜５のいずれか１つに記載の通信端末装置。
【請求項７】
前記コンテンツデータ接続閲覧手段よって、コンテンツサーバに接続して所望のコンテンツデータを閲覧したとき、ユーザが直前に閲覧したコンテンツデータを前記コンテンツデータ指定登録手段に登録すると判断した場合は、前記コンテンツデータを前記コンテンツデータ指定登録手段に追加登録し、前記コンテンツデータ収集手段に基づいて前記追加登録されたコンテンツデータを収集することを特徴とする請求項６記載の通信端末装置。
【発明の詳細な説明】
【０００１】
【発明の属する技術分野】
本発明は、インターネットを介して接続されるコンテンツサーバから自動的にコンテンツデータを収集し、収集したコンテンツデータを表示する通信端末装置に関する。
【０００２】
【従来の技術】
映画、音楽、書籍などに関連するテキストデータ、画像データおよび音声データなどのいわゆるコンテンツデータを閲覧する機能を有するファクシミリ装置および電話機などの通信端末装置が普及している。この通信端末装置を用いてコンテンツデータを閲覧する場合には、ユーザは、通信端末装置をインターネットに接続して、所望するコンテンツデータごとに逐一、コンテンツデータの提供先であるコンテンツサーバの所在を示すＵＲＬ（Uniform Resource Locator）を、キーボードを用いて通信端末装置に入力する必要がある。このような操作性の煩雑さを解消するために、予めユーザが指定したＵＲＬを自動的に巡回してコンテンツデータを取得する、いわゆるオートパイロット機能を実現するオートパイロットソフトウェアが開発され、ユーザに広く用いられている。
【０００３】
近年、パーソナルコンピュータ（略称ＰＣ）用のＳＶＧＡ（Super Video Graphics Array）およびＸＶＧＡ（eXtended Video Graphics Array）の比較的大型のディスプレイを有する通信端末装置では、種々のコンテンツデータの表示方法が提案および実施されており、視認性が向上した通信端末装置が普及している。しかし、コンテンツサーバから収集した複数のコンテンツデータを一覧表示する、あるいはコンテンツデータの数に応じてディスプレイの画面を効果的に活用する技術を備え、かつ比較的小型のディスプレイを有する通信端末装置は普及していないのが現状である。
【０００４】
通信端末装置の第１の従来技術では、比較的大型のディスプレイおよび大容量のデータ記憶部を有する通信端末装置において、オートパイロット機能を用いて取得したコンテンツデータを閲覧するときに、ユーザが特定のページを素早く見つけることができるように、コンテンツデータのサムネイルを生成して表示するとともに、ユーザが大量のコンテンツデータを簡便に見ることができるように、ページを順次表示するように構成されている（たとえば特許文献１参照）。
【０００５】
通信端末装置の第２の従来技術では、比較的大型のディスプレイを有する通信端末装置において、コンテンツデータを容易に閲覧することができるように、記録媒体に記録されているコンテンツデータのサムネイルを順番に並べ、かつ配列形態を、たとえば画面の縦方向に延びる直線状または円を形成する曲線状に変化させてディスプレイに表示する。ユーザはジョグダイヤルを回転させる操作を行うことによって、サムネイルをスクロールさせ、所望するコンテンツデータのサムネイルを画面中央に表示させた後、ジョグダイヤルを押下げる操作を行うことによって選択されたサムネイルに対応するコンテンツデータを再生することができるように構成されている（たとえば特許文献２参照）。
【０００６】
【特許文献１】
特開２０００−１１２８５６号公報
【特許文献２】
特開２００１−３１２３５０号公報
【０００７】
【発明が解決しようとする課題】
第１の従来技術では、比較的大型のディスプレイおよび大容量のデータ記憶部を有するパーソナルコンピュータおよびワークステーションなどの通信端末装置において、オートパイロット機能を用いて取得したコンテンツデータを、簡便に閲覧できるように構成されている。しかし、記憶容量に制約があり、かつディスプレイが比較的小型の通信端末装置では、大量のコンテンツデータを収集して記憶させたり、コンテンツデータをディスプレイに一覧表示させたりすることは不可能であり、簡便にコンテンツデータを閲覧することはできないという問題がある。
【０００８】
第２の従来技術では、比較的大型のディスプレイを有するパーソナルコンピュータなどの通信端末装置において、記録媒体に記録されているコンテンツデータのサムネイルを順番に並べ、かつ配列形態を変化させてディスプレイに表示する構成になっている。しかし、比較的小型のディスプレイを有する通信端末装置では、サムネイルを順番に並べ、かつ配列形態を変化させてディスプレイに表示することは不可能であり、簡便にコンテンツデータを閲覧することはできないという問題がある。
【０００９】
本発明の目的は、収集したコンテンツデータの表示能力を向上させることができる通信端末装置を提供することである。
【００１０】
【課題を解決するための手段】
本発明は、インターネットを介して、コンテンツデータを提供するコンテンツサーバと通信を行う通信手段と、
予めユーザが指定したコンテンツデータに関する情報を登録するコンテンツデータ指定登録手段と、
前記通信手段によってコンテンツサーバと接続し、接続されたコンテンツサーバを自動的に巡回して、前記コンテンツデータ指定登録手段に登録されたコンテンツデータに関する情報に基づいて、コンテンツデータを収集するコンテンツデータ収集手段と、
前記コンテンツ収集手段によって収集されたコンテンツデータを記憶するコンテンツデータ記憶手段と、
前記コンテンツデータ記憶手段に記憶されたコンテンツデータに基づいて、縮小画像を生成する縮小画像生成手段と、
前記コンテンツ収集手段によって収集されたコンテンツデータおよび前記縮小画像生成手段によって生成された縮小画像の少なくともいずれか一方を表示する表示手段と、
予め定めた数の前記縮小画像を前記表示手段に配列し、かつ表示するように制御する表示制御手段と、
前記表示手段に表示された縮小画像の中から選択された縮小画像を原寸法の画像に伸長して表示手段に表示するコンテンツデータ拡大表示手段とを含むことを特徴とする通信端末装置である。
【００１１】
本発明に従えば、ユーザは予め指定したコンテンツデータに関する情報をコンテンツデータ指定登録手段に基づいて登録する。ここで、コンテンツデータとは、たとえばユーザの興味の対象となる映画、音楽、書籍などに関連するテキストデータ、画像データおよび音声データなどのデータを意味する。
【００１２】
通信端末装置が、インターネットを介して、コンテンツデータを提供するコンテンツサーバに接続されると、コンテンツデータ収集手段は、コンテンツサーバを自動的に巡回して、コンテンツデータ指定登録手段によって登録されたコンテンツデータに関する情報に基づいて、コンテンツデータを収集する。コンテンツ収集手段によって収集されたコンテンツデータは、コンテンツデータ記憶手段に記憶される。縮小画像生成手段は、コンテンツデータ記憶手段に記憶されたコンテンツデータに基づいて縮小画像を生成する。
【００１３】
表示制御手段は、予め定めた数の縮小画像を表示手段に配列し、かつ表示するように制御する。ユーザが、表示手段に表示された縮小画像の中から閲覧したい縮小画像を選択すると、コンテンツデータ拡大表示手段は、ユーザによって選択された縮小画像を原寸法の画像に拡大して表示手段に表示する。
【００１４】
前述のように、予め定めた数の縮小画像が表示手段に表示され、ユーザが選択した縮小画像が拡大されて表示手段に表示されるので、表示手段の表示領域が比較的小さな場合でも、ユーザは簡便にコンテンツデータを閲覧することができ、確実にコンテンツデータの内容を把握することができる。
【００１５】
また本発明は、前記コンテンツデータに関する情報は、表示手段に表示するコンテンツデータの優先順位を含み、
前記表示制御手段は、前記コンテンツデータの優先順位に基づいて、予め定めた数の縮小画像を表示手段に配列し、かつ表示するように制御することを特徴とする。
【００１６】
本発明に従えば、予め定めた数の縮小画像は、コンテンツデータの優先順位に基づいて表示手段に配列され、かつ表示される。たとえば、前記縮小画像は、優先順位が高いコンテンツデータの順に表示手段に配列され、かつ表示される。したがってユーザは、優先順位の高いコンテンツデータを容易かつ即座に閲覧することができる。これによって利便性が向上する。
【００１７】
また本発明は、前記コンテンツデータ記憶手段に記憶されたコンテンツデータの数が、予め定めた表示手段に優先して表示させるコンテンツデータの数を超えたときは、前記予め定めた数のコンテンツデータの縮小画像を表示手段に表示し、かつ予め定めた数を超えた数のコンテンツデータのタイトルを表示手段に表示することを特徴とする。
【００１８】
本発明に従えば、コンテンツデータ記憶手段に記憶されたコンテンツデータの数が、予め定めた表示手段に優先して表示させるコンテンツデータの数を超えた場合、前記予め定めた数の優先して表示させるコンテンツデータに関しては、このコンテンツデータの縮小画像を表示手段に表示するとともに、前記予め定めた数を超えた数のコンテンツデータに関しては、このコンテンツデータのタイトルを表示手段に表示する。
【００１９】
前述のように、比較的優先度の高いコンテンツデータは、表示手段に縮小画像を表示し、比較的優先度の低いコンテンツデータは、前記縮小画像を表示した表示手段と共通の表示手段にタイトルを表示するので、表示手段の表示領域が比較的小さな場合でも、ユーザは、優先度の高いコンテンツデータに基づく縮小画像と、優先度の低いコンテンツデータに基づくタイトルとの２種類のデータを一度にまとめて閲覧することができる。これによって利便性が向上する。
【００２０】
また本発明は、前記コンテンツデータに関する情報は、コンテンツデータの所在を示すユニフォーム・リソース・ロケータ、コンテンツサーバを巡回する頻度およびコンテンツサーバからコンテンツデータを収集する日時を含むことを特徴とする。
【００２１】
本発明に従えば、予めユーザがコンテンツデータ指定登録手段によって、コンテンツデータの所在を示すユニフォーム・リソース・ロケータ、コンテンツサーバを巡回する頻度およびコンテンツサーバからコンテンツデータを収集する日時を登録する。コンテンツサーバを巡回する頻度は、たとえば１日に２回または毎週日曜日に３回などと登録する。
【００２２】
これによってコンテンツサーバを巡回する頻度およびコンテンツサーバからコンテンツデータを収集する日時に、インターネットを介してユーザが予め登録したユニフォーム・リソース・ロケータのコンテンツサーバと接続され、自動的にコンテンツサーバからユーザが所望するコンテンツデータが収集される。
【００２３】
前述のように、ユーザは、予めコンテンツデータ指定登録手段によって、ユニフォーム・リソース・ロケータ、コンテンツサーバを巡回する頻度およびコンテンツサーバからコンテンツデータを収集する日時を登録しておくだけで、所望するコンテンツデータを容易に得ることができ、即座にコンテンツデータを閲覧することができる。
【００２４】
また本発明は、前記コンテンツデータに関する情報は、コンテンツデータを収集する日時に、コンテンツサーバとの接続が不可能であった場合に、再度、コンテンツサーバとの接続動作を行うか否かを示す再接続情報および再接続の頻度を示す再接続頻度情報を含むことを特徴とする。
【００２５】
本発明に従えば、予めユーザがコンテンツデータ指定登録手段によって、再度、コンテンツサーバとの接続動作を行うか否かを示す再接続情報および再接続の頻度を示す再接続頻度情報を登録する。再接続頻度情報は、たとえば２分ごとに３回または１０分ごとに５回などと登録する。
【００２６】
コンテンツデータを収集する日時に、インターネットを介してコンテンツサーバとの接続を行い、そのコンテンツサーバとの接続が不可能な場合でも、予めユーザによって再接続情報および再接続頻度情報が登録されているので、前記再接続情報および再接続頻度情報に基づいて再接続動作の有無を判断して、その判断結果に基づいて再接続動作または再接続しない場合の動作を実行することができる。したがってビジー状態のときに、ユーザは接続操作を行う必要がないので、利便性が向上する。
【００２７】
また本発明は、インターネットに接続して所望するコンテンツデータを検索し、検索したコンテンツデータを保有する前記コンテンツサーバに接続して、前記コンテンツデータを閲覧するコンテンツデータ接続閲覧手段を含むことを特徴とする。
【００２８】
本発明に従えば、コンテンツデータ接続閲覧手段によって、インターネットに接続し、たとえば検索鍵を入力することによって所望するコンテンツデータを検索する。ここで検索鍵とは、所望するコンテンツデータを検索するときに、通信端末装置に入力する文字列であり、たとえば映画、音楽、書籍のタイトルなどである。検索した結果、所望するコンテンツデータを見つけると、前記コンテンツデータを保有するコンテンツサーバに接続することによって、前記コンテンツデータを閲覧する。
【００２９】
このようにユーザが新たなコンテンツデータの閲覧を希望する場合は、コンテンツデータ接続閲覧手段を用いることによって、新しいコンテンツサーバへ接続して、新たなコンテンツデータを容易に閲覧することができる。
【００３０】
また本発明は、前記コンテンツデータ接続閲覧手段よって、コンテンツサーバに接続して所望のコンテンツデータを閲覧したとき、ユーザが直前に閲覧したコンテンツデータに関する情報を前記コンテンツデータ指定登録手段に登録すると判断した場合は、前記コンテンツデータに関する情報を前記コンテンツデータ指定登録手段に追加登録し、前記コンテンツデータ収集手段に基づいて前記追加登録されたコンテンツデータを収集することを特徴とする。
【００３１】
本発明に従えば、ユーザがコンテンツデータ接続閲覧手段によって、コンテンツサーバに接続して所望のコンテンツデータを閲覧したとき、ユーザが直前に閲覧したコンテンツデータに関する情報をコンテンツデータ指定登録手段に登録すると判断した場合は、前記コンテンツデータに関する情報はコンテンツデータ指定登録手段に追加登録される。前記コンテンツデータに関する情報がコンテンツデータ指定登録手段に追加登録されると、コンテンツデータ収集手段は、追加登録されたコンテンツデータに関する情報に基づいて、コンテンツサーバからコンテンツデータが収集される。
【００３２】
前述のように、ユーザがコンテンツデータ接続閲覧手段によって閲覧したコンテンツデータに関する情報をコンテンツデータ指定登録手段に追加登録することによって、コンテンツデータ指定登録手段に登録されたコンテンツデータに関する情報を更新することができる。これによって更新されたコンテンツサーバへ接続して、新たなコンテンツデータを容易に閲覧することができる。
【００３３】
【発明の実施の形態】
図１は、本発明の実施の一形態である通信端末装置１００の構成を示すブロック図である。通信端末装置１００は、たとえばファクシミリ装置などによって実現され、このファクシミリの送受信および電話機としての機能に加えて、インターネット１０を介して接続されるコンテンツサーバ１１を自動的に巡回して、コンテンツサーバ１１からコンテンツデータを収集する、いわゆるオートパイロット機能を有している。ここでコンテンツデータは、たとえばユーザの興味の対象となる映画、音楽、書籍などに関連するテキストデータ、画像データおよび音声データなどを意味する。
【００３４】
通信端末装置１００は、ＣＰＵ（Central Processing Unit）１、ＲＯＭ（
Read Only Memory）２、ＲＡＭ（Random Access Memory）３、通信部４、計時部５、入力操作部６、表示部７、印刷部８およびデータバス９を含んで構成される。ＣＰＵ１は、ＲＯＭ２に記憶されるプログラムに基づいて、通信端末装置１００を構成する上記のＲＯＭ２、ＲＡＭ３、通信部４、計時部５、入力操作部６、表示部７、印刷部８およびデータバス９を含むハードウェア資源を制御する。
【００３５】
ＲＯＭ２は、オートパイロットプログラム２１、コンテンツデータ指定登録プログラム２２、コンテンツデータ縮小プログラム２３、表示制御プログラム２４およびルーチン機能実行プログラム２５が格納される。オートパイロットプログラム２１は、インターネット１０を介して接続されるコンテンツサーバ１１を自動的に巡回して、コンテンツサーバ１１からコンテンツデータを収集するオートパイロット機能を実行するプログラムである。
【００３６】
コンテンツデータ指定登録プログラム２２は、オートパイロット機能を実行する前に、ユーザが指定したコンテンツデータの所在を示すＵＲＬ（Uniform Resource Locator）など、ユーザが所望するコンテンツデータに関する情報を入力するためのプログラムである。コンテンツデータ縮小プログラム２３は、オートパイロット機能を実行することによってコンテンツサーバ１１から収集されたコンテンツデータに基づいて、縮小画像を生成するためのプログラムである。
【００３７】
表示制御プログラム２４は、コンテンツデータ縮小プログラム２３によって生成された縮小画像を予め定めた数だけ表示部７に配置して表示するように制御するプログラムである。ルーチン機能実行プログラム２５は、コンテンツデータの圧縮および伸長、データの更新、インターネット１０上で公開されている情報を閲覧するブラウザなどのプログラムやファクシミリ機能および電話機能を実行するプログラムを含む。
【００３８】
ＲＡＭ３は、登録コンテンツデータ記憶部３１、取得コンテンツデータ記憶部３２、縮小コンテンツデータ記憶部３３、仮想画面バッファ３４、表示画面バッファ３５、コンテンツデータ指定入力画面バッファ３６、待機画面バッファ３７およびワークエリア３８を含んで構成される。
【００３９】
登録コンテンツデータ記憶部３１は、コンテンツデータ指定登録プログラム２２によってユーザが指定して入力したコンテンツデータに関する情報を記憶する。取得コンテンツデータ記憶部３２は、オートパイロットによってコンテンツサーバ１１から収集したコンテンツデータを記憶する。縮小コンテンツデータ記憶部３３は、コンテンツデータ縮小プログラム２３によってコンテンツデータを縮小して生成した縮小画像（以下、サムネイルと表記する場合がある）を記憶する。仮想画面バッファ３４は、サムネイルを生成するときに、コンテンツデータを画像として捉えて、これを一時的に記憶する記憶領域である。表示画面バッファ３５は、表示部７に表示する内容を一時的に記憶する記憶領域である。
【００４０】
コンテンツデータ指定入力画面バッファ３６は、コンテンツデータ指定入力画面として表示部７に表示する内容を一時的に記憶する記憶領域である。待機画面バッファ３７は、待機画面として表示部７に表示する内容を一時的に記憶する記憶領域である。ワークエリア３８は、通信端末装置１００の作業領域であり、たとえば登録コンテンツデータ記憶部３１から、予め設定されたコンテンツサーバ１１の巡回日に該当するコンテンツデータを抽出し、予め設定された巡回時刻に、オートパイロットプログラムに基づいて自動的にコンテンツサーバ１１に接続する作業を行う。
【００４１】
通信部４は、通信回線と通信端末装置１００との状態を管理して、通信の開始および終了を制御し、公衆電話交換ネットワークと接続するモデム機能を含む回線制御部および他のパーソナルコンピュータと通信を行うためのＮＩＣ（
Network Interface Card）を含む。
【００４２】
計時部５は、オートパイロットプログラム２１を始動させる時間を設定する。入力操作部６は、たとえばカーソルキー４２、決定キー４３および置数キー４５を含む。表示部７は、待機画面、コンテンツデータの指定入力画面およびインターネット１０を介してコンテンツサーバ１１から収集したコンテンツデータを表示する。印刷部８は、コンテンツデータを印刷する。データバス９は、ＣＰＵ１、ＲＯＭ２、ＲＡＭ３、通信部４、計時部５、入力操作部６、表示部７および印刷部８と接続しており、これらの間でデータを伝達する。
【００４３】
本実施形態において、通信部４は通信手段であり、表示部７は表示手段である。オートパイロットプログラム２１は、コンテンツデータ収集手段であり、コンテンツデータ指定登録プログラム２２は、コンテンツデータ指定登録手段である。コンテンツデータ縮小プログラム２３は、縮小画像生成手段であり、表示制御プログラム２４は、表示制御手段である。ルーチン機能実行プログラム２５は、コンテンツデータ拡大表示手段であり、コンテンツデータ接続閲覧手段である。
【００４４】
図２は、通信端末装置１００におけるコンテンツデータの登録処理、閲覧処理および表示処理を示すフローチャートである。図３は、通信端末装置１００の入力操作部６および表示部７を示す図である。図４は、インターネット選択画面を示す表示例である。図５は、コンテンツデータの指定登録画面を示す表示例である。図６は、入力操作部６における置数キー４５の一部を拡大して示す図である。図７は、登録コンテンツデータ記憶部３１に記憶された登録コンテンツデータの一例を示す図である。図８は、サムネイルおよびコンテンツデータのタイトルを示す表示例である。図９は、ユーザによって選択されたサムネイルを等倍表示して示す図である。
【００４５】
図２のステップＳ１において、通信端末装置１００は、待機画面バッファ３７に一時的に記憶された待機画面を表示部７に表示する。待機画面は、図３の表示部７における選択項目欄４１に示すように、たとえば「１．メール」、「２．インターネット」、「３．画面メモ」などのユーザによって選択される選択項目から成るメニュー画面である。ステップＳ２では、所定の操作の指示が、図３に示すカーソルキー４２および決定キー４３からユーザによって入力されたか否かを判断する。ステップＳ２において、所定の操作の指示がユーザによって入力されたと判断した場合は、ステップＳ３に進む。ステップＳ２において、所定の操作の指示がユーザによって入力されていないと判断した場合は、ステップＳ１に戻る。
【００４６】
ステップＳ３では、ステップＳ２においてユーザによって入力された指示が、図３の選択項目欄４１に示す「２．インターネット」であるか否かを判断する。ステップＳ３において、ユーザによって入力された指示が、「２．インターネット」であると判断した場合は、ステップＳ５に進む。ステップＳ３において、ユーザによって入力された指示が、「２．インターネット」以外の選択項目が選択されたと判断した場合は、ステップＳ４に進む。ステップＳ４では、ユーザによって入力された指示が、「２．インターネット」以外、たとえば「１．メール」の場合、メールの送受信の処理が実行される。
【００４７】
ステップＳ５では、通信端末装置１００は、図４に示すインターネット選択画面を表示部７に表示するとともに、インターネット選択画面の選択項目欄４６に表示された「１．自動収集コンテンツ登録」、「２．登録コンテンツ閲覧」および「３．新規コンテンツ閲覧」の３つの項目のうち、ユーザがどの項目が選択され、指示されたかを判断する。
【００４８】
ステップＳ５において、ユーザがインターネット選択画面の選択項目欄４６の中から「１．自動収集コンテンツ登録」を選択した場合は、ステップＳ６に進む。ステップＳ６では、コンテンツデータ指定登録プログラム２２を実行して、図５に示すコンテンツ指定登録画面を表示部７に表示する。コンテンツ指定登録画面は、優先閲覧コンテンツ数、ＵＲＬ（Uniform Resource Locator）、優先順位、巡回頻度、接続時刻、ビジー再接続の入力項目から成る画面である。
【００４９】
ステップＳ７において、ユーザは、コンテンツ指定登録画面の優先閲覧コンテンツ数欄５１、ＵＲＬ欄５２、優先順位欄５３、巡回頻度欄５４，５５、接続時刻欄５６，５７、ビジー再接続欄５８，５９，６０に、適当な数値または文字列を入力する。具体的には、優先閲覧コンテンツ数欄５１には、ユーザが優先して閲覧するコンテンツデータの数を入力する。優先して閲覧するコンテンツデータ数は、表示部７に表示するコンテンツデータの縮小画像、いわゆるサムネイルの数に対応する。ＵＲＬ欄５２には、図６の４５ａ，４５ｂおよび４５ｃに示すように、数字、英字および記号を入力することができる置数キー４５を用いて、たとえば「http：／／www．aaa＠…．co．jp／…yyy．htm」のように、ユーザが所望するコンテンツデータの所在を示すＵＲＬを入力する。
【００５０】
優先順位欄５３には、コンテンツデータを表示部７に表示させるときの優先順位を入力する。巡回頻度欄５４，５５には、コンテンツサーバ１１を巡回する回数を、頻度例示欄６１を参照して入力する。たとえば、１日あたり２回の巡回を行うようにする場合は、巡回頻度欄５４，５５にそれぞれ「２」、「日」を入力する。接続時刻欄５６，５７には、インターネット１０を介して通信端末装置１００とコンテンツサーバ１１とを接続して、コンテンツサーバ１１を巡回する時刻を入力する。１０時および１７時に巡回を行うようにする場合は、接続時刻欄５６，５７にそれぞれ「１０：００」、「１７：００」を入力する。
【００５１】
ビジー再接続欄５８には、通信回線が多くのユーザによって使われているためにコンテンツサーバ１１に接続できない、いわゆるビジー状態のときに、再接続をするかしないかを選択して数値を入力する。再接続する場合は、「１」を入力し、再接続しない場合は、「０」を入力する。ビジー再接続欄５８に、「１」が入力された場合は、ビジー再接続欄５９，６０に、何分ごとに、何回まで再接続を行うかについて、具体的な数値を入力する。２分ごとに３回まで再接続を行うようにする場合は、ビジー再接続欄５８，５９，６０にそれぞれ「１」、「２」、「３」を入力する。すべての項目欄５１〜６０への入力が終了した場合は、決定キー４３を押下する。決定キー４３を押下することによって、コンテンツ指定登録画面の各項目欄５１〜６０に入力した事項が確定する。
【００５２】
ステップＳ８では、ステップＳ７においてユーザによって入力された事項は、ＲＡＭ３の登録コンテンツデータ記憶部３１に送られ、登録コンテンツデータとして記憶されるとともに、登録コンテンツデータ記憶部３１に記憶された登録コンテンツデータが更新される。登録コンテンツデータは、図７に示すように、優先順位７１、ＵＲＬ７２、巡回時刻７３および頻度７４と、最新更新日時７５とが関連付けられて記憶される。以上の処理をコンテンツデータごとに繰返し行い、処理が終了した場合は、ステップＳ１に戻る。
【００５３】
ステップＳ５において、ユーザが「２．登録コンテンツ閲覧」を選択した場合は、ステップＳ９に進む。ステップＳ９では、Ｋ０個のコンテンツデータのサムネイルを縮小コンテンツデータ記憶部３３から取出し、表示画面バッファ３５の座標Ｐ１（ｘ１，ｙ１），Ｐ２（ｘ２，ｙ２），Ｐ３（ｘ３，ｙ３），…，Ｐｉ（ｘｉ，ｙｉ）…を基準にし、かつこれらの座標に対応した優先順位に従ってサムネイルをＮＯ．１，ＮＯ．２，ＮＯ．３，…，ＮＯ．ｉの順に配置する。ここで、前述のＰｉ（ｘｉ，ｙｉ）およびＮＯ．ｉのｉは自然数である。なお、サムネイルの生成処理については後述する。
【００５４】
次にステップＳ１０に進む。オートパイロット対象コンテンツ数、つまりオートパイロットプログラム２１に基づいて収集され、かつ登録コンテンツデータ記憶部３１に記憶されたコンテンツデータの数をＫ０＋Ｍ個とすると、Ｋ０個を超えるコンテンツデータ部はＫ０＋１，Ｋ０＋２，Ｋ０＋３，Ｋ０＋４，…，Ｋ０＋ＭのＭ個である。ここで、Ｍは自然数である。ステップＳ１０では、Ｋ０個を超えるコンテンツデータ部の表示画面バッファ３５の座標Ｐ０１（ｘ１１，ｙ１１），Ｐ０２（ｘ１１，ｙ１２），Ｐ０３（ｘ１１，ｙ１３），Ｐ０４（ｘ１１，ｙ１４），…Ｐ０ｍ（ｘ１１，ｙ１ｍ）、つまりＸ軸の座標が同一でかつＹ軸の座標が一定間隔で異なる座標を基準に、各コンテンツデータの優先順位に従って、ＨＴＭＬ（Hyper Text Markup Language）のタイトルをＭ個配置する。ここで、ｍは自然数である。
【００５５】
ステップＳ１１において、前述の表示画面バッファ３５の内容は、表示部７に一覧表示される。本実施形態において、コンテンツデータのサムネイル数Ｋ０をたとえば４個、Ｋ０個を超えるコンテンツデータ部の数をたとえば６個とすると、図４に示すように、４個のサムネイルおよび６個のタイトルが表示部７に一覧表示される。
【００５６】
図４に示すように、表示部７の解像度が１０２４×７６８ドットである場合は、優先順位が１位〜４位の４個のサムネイルは、座標Ｐ１（６４，６４０）、座標Ｐ２（３８４，６４０）、座標Ｐ３（６４，３２８）、座標Ｐ４（３８４，３２８）に対応する位置に、それぞれ２５６×１９２ドットの解像度で配置し、表示する。
【００５７】
また６個のタイトルは、表示部７の座標Ｐ５（４４８，６２８）、座標Ｐ６（４４８，５７６）、座標Ｐ７（４４８，５２８）、座標Ｐ８（４４８，４８０）、座標Ｐ９（４４８，４３２）、座標Ｐ１０（４４８，３８４）に対応する位置に、それぞれ文字高さ３２ドット、行幅４８ドットで配置し、表示する。
【００５８】
このようにサムネイルおよびタイトルを配置することによって、解像度が１０２４×７６８ドットの表示部７にバランスよく配置することができる。
【００５９】
次にステップＳ１２に進む。ステップＳ１２では、ユーザによってカーソルキー４２が操作され、表示部７に表示されたサムネイルおよびタイトルが選択および指示されたか否かを判断する。本実施形態では、ユーザによってサムネイルまたはタイトルが選択および指示されると、選択および指示されたサムネイルまたはタイトルの表示枠が太線で表示されるようにしている。
【００６０】
ステップＳ１２において、表示部７に表示されるサムネイルおよびタイトルが、ユーザによって選択および指示されていないと判断した場合は、ステップＳ１２に戻る。ステップＳ１２において、表示部７に表示されるサムネイルまたはタイトルが、ユーザによって選択および指示されたと判断した場合は、ステップＳ１３に進む。
【００６１】
ステップＳ１３では、ユーザによって選択および指示されたＮｏ．ｉのサムネイルまたはタイトルを取得コンテンツデータ記憶部３２から取出す。ステップＳ１４では、ステップＳ１３において取得コンテンツデータ記憶部３２から取出したＮｏ．ｉのサムネイルまたはタイトルを等倍で表示画面バッファ３５に配置する。ここで、ｉは自然数である。ステップＳ１５では、ステップＳ１４において表示画面バッファ３５に配置した前記Ｎｏ．ｉのサムネイルまたはタイトルを、図９に示すように、表示部７に等倍で表示する。
【００６２】
ここで、ステップＳ１２において一旦選択されたコンテンツデータは、表示部７に表示する優先順位に拘らず，取得コンテンツデータ記憶部３２から取出され、表示画面バッファ３５に直接展開することになり、見かけ上は、コンテンツサーバ１１から収集したコンテンツデータをそのまま表示部７に拡大表示したことになる。したがって大きな記憶領域を有するハードディスク装置のような補助メモリ装置を備えていない通信端末装置では、コンテンツサーバ１１から収集したコンテンツデータに基づいて生成したサムネイルを記憶するためのメモリの記憶容量を節約することができる。
【００６３】
次にステップＳ１６に進む。ステップＳ１６では、ユーザによってカーソルキー４２が操作され、他のサムネイルおよびタイトルが選択および指示されたか否かを判断する。ステップＳ１６において、他のサムネイルおよびタイトルが選択および指示されたと判断した場合は、ステップＳ１３に戻る。ステップＳ１６において、他のサムネイルおよびタイトルが選択および指示されていないと判断した場合は、終了キー４７を押下することによってステップＳ１に戻る。なお、ステップＳ１１における一覧表示およびステップＳ１５におけるサムネイルまたはタイトル表示中に、図３に示す印刷キー４４を押下すると、ルーチン機能機能実行プログラム２５が実行され、表示中のサムネイルおよびタイトルを印刷部８で印刷することができる。
【００６４】
ステップＳ５において、ユーザが「３．新規コンテンツ閲覧」を選択した場合は、ステップＳ１７に進む。ステップＳ１７では、通信端末装置１００は、オートパイロット機能を用いずに、通信端末装置１００のルーチン機能実行プログラム２５に含まれているブラウザを起動し、インターネット検索画面を表示する。ここでブラウザは、インターネット１０上で公開されている文書を閲覧するためのソフトウェアである。
【００６５】
ステップＳ１８において、ユーザは検索画面に、ＵＲＬを入力するか、または検索鍵を入力することによって所望するコンテンツデータを検索する。ここで検索鍵とは、所望するコンテンツデータを検索するときに、通信端末装置に入力する文字列であり、たとえば映画、音楽、書籍のタイトルなどである。検索鍵による検索を行うことによって、所望のコンテンツデータを見つけた後、このコンテンツデータをダウンロードする。ユーザは、ダウンロードしたコンテンツデータを表示部７に表示して閲覧する。次にステップＳ１９に進む。ステップＳ１９では、ステップＳ１８において閲覧したコンテンツデータを、登録コンテンツデータ記憶部３１に記憶するか否かを判断する。
【００６６】
ステップＳ１９において、ステップＳ１８において閲覧したコンテンツデータを、登録コンテンツデータ記憶部３１に記憶しないと判断した場合は、ステップＳ１に戻る。ステップＳ１９において、ステップＳ１８において閲覧したコンテンツデータを、登録コンテンツデータ記憶部３１に記憶すると判断した場合は、ステップＳ２０に進む。ステップＳ２０では、ステップＳ６と同様に、図５に示すコンテンツデータ指定登録画面を表示部７に表示する。
【００６７】
次いでステップＳ２１では、ステップＳ７と同様に、ユーザは、コンテンツ指定登録画面の優先閲覧コンテンツ数欄５１、ＵＲＬ欄５２、優先順位欄５３、巡回頻度欄５４，５５、接続時刻欄５６，５７、ビジー再接続欄５８，５９，６０に、数値または文字列を入力する。各項目欄５１〜６０に入力する数値または文字列の詳細については、ステップＳ７と同様であるので、説明を省略する。
【００６８】
ステップＳ２２では、ステップＳ８と同様に、ステップ２１においてユーザによって登録された登録コンテンツデータは、ＲＡＭ３の登録コンテンツデータ記憶部３１に送られ、記憶されるとともに、登録コンテンツデータ記憶部３１に記憶された登録コンテンツデータが更新される。登録コンテンツデータは、図７に示すように、優先順位７１、ＵＲＬ７２、巡回時刻７３および頻度７４と、最新更新日時７５とが関連付けられて記憶される。
【００６９】
次にステップＳ２３に進む。ステップＳ２３では、新規に閲覧するコンテンツデータが他にあるか否かを判断する。ステップＳ２３において、新規に閲覧するコンテンツデータが他にあると判断した場合は、ステップＳ１７に戻る。ステップＳ２３において、新規に閲覧するコンテンツデータが他にないと判断した場合は、ステップＳ１に戻る。
【００７０】
以上のように通信端末装置１００では、オートパイロットプログラム２１を実行して、コンテンツサーバ１１から取得したコンテンツデータのサムネイルを表示部７に表示する。ユーザが表示部７に表示されたサムネイルを選択すると、選択したサムネイルが拡大されて表示部７に表示される。したがって表示部７の表示領域が比較的小さな場合でも、ユーザは簡便にコンテンツデータを閲覧することができ、確実にコンテンツデータの内容を把握することができる。
【００７１】
またコンテンツデータ指定登録プログラム２２が実行され、ユーザによって定められた数のサムネイルは、予め定められたコンテンツデータの優先順位に基づいて表示部７に配列され、かつ表示される。たとえばサムネイルは、優先順位が高いコンテンツデータの順に、表示部７に配列され、かつ表示される。この場合は、ユーザは、優先順位の高いコンテンツデータを容易かつ即座に閲覧することができるので、利便性が向上する。
【００７２】
また通信端末装置１００において、比較的優先順位の高いコンテンツデータは、表示部７にサムネイルを表示し、比較的優先度の低いコンテンツデータは、サムネイルを表示した表示部７と共通の表示領域にタイトルを表示する。したがって表示部７の表示領域が比較的小さな場合でも、ユーザは、優先順位の高いコンテンツデータに基づくサムネイルと、優先順位の低いコンテンツデータに基づくタイトルとの２種類のデータを一度にまとめて閲覧することができる。これによって利便性が向上する。
【００７３】
コンテンツデータ指定登録プログラム２２を実行し、ユーザがコンテンツ指定登録画面上の各項目欄に入力した、ＵＲＬ、コンテンツサーバ１１を巡回する頻度およびコンテンツサーバ１１からコンテンツデータを収集する日時などを登録コンテンツデータ記憶部３１に記憶する。これによって所望するコンテンツデータを容易に取得することができ、即座にコンテンツデータを閲覧することができる。
【００７４】
またコンテンツデータを収集する日時に、インターネット１０を介してコンテンツサーバ１１との接続操作を行うが、コンテンツサーバ１１との接続が不可能な場合、いわゆるビジー状態の場合がある。本実施形態では、予めユーザがビジー状態のときに再接続するか否かを示す情報および再接続時の頻度を示す情報が、登録コンテンツデータ記憶部３１に記憶されているので、これらの情報に基づいて再接続するか否かを判断し、その判断結果に基づく動作を実行することができる。したがってビジー状態のときに、ユーザは接続操作を行う必要がないので、利便性が向上する。
【００７５】
また通信端末装置１００において、ユーザが新たなコンテンツデータの閲覧を希望する場合は、ルーチン機能実行プログラム２５実行することによって、ブラウザを起動させ、ＵＲＬまたは検索鍵を入力することによって所望のコンテンツデータを検索することができる。検索によって所望のコンテンツデータが見つかった場合は、そのコンテンツデータが存在するコンテンツサーバ１１へ接続して、容易にコンテンツデータを閲覧することができる。
【００７６】
ユーザが閲覧したコンテンツデータを登録コンテンツデータ記憶部３１に記憶すると判断した場合は、閲覧したコンテンツデータを登録コンテンツデータ記憶部３１に記憶する。これによって登録コンテンツデータ記憶部３１に記憶されたコンテンツデータを更新することができる。また更新されたコンテンツデータが存在するコンテンツサーバ１１へ接続することによって、新たなコンテンツデータを容易に閲覧することができる。
【００７７】
図１０は、通信端末装置１００におけるオートパイロットのタイミングおよびサムネイルの生成処理を示すフローチャートである。ステップＳ３１では、通信端末装置１００におけるオートパイロットプログラム２１を始動する時刻であるか否かを判断する。ステップＳ３１において、オートパイロットプログラム２１を始動する時刻ではないと判断した場合は、オートパイロットプログラム２１を始動する時刻まで待機する。ステップＳ３１において、オートパイロットプログラム２１を始動する時刻であると判断した場合は、ステップＳ３２に進む。ここで、オートパイロットプログラム２１を始動する時刻とは、図７に示す登録コンテンツデータ記憶部３１に記憶されている巡回時刻７３を意味する。
【００７８】
図７に示す登録コンテンツデータ記憶部３１に記憶されている巡回時刻７３および頻度７４と、通信端末装置１００の計時部５に含まれるカレンダおよび時計とを対比して、本日の巡回日時に該当するコンテンツデータのみをワークエリア３８に設ける。オートパイロットプログラム２１は、前記ワークエリア３８に設けられたコンテンツデータの巡回日時が、通信端末装置１００に内蔵されているカレンダおよび時計と一致した場合に作動する。また巡回する順番は、コンテンツデータの表示の優先順位とは必ずしも一致しない。巡回時刻が重複して登録され、複数の同日かつ同時刻の登録コンテンツデータが存在する場合は、表示の優先順位が高い登録コンテンツデータを優先するようにしてもよい。
【００７９】
ステップＳ３２では、通信端末装置１００とコンテンツサーバ１１とは、まだ接続されていないので、通信端末装置１００とコンテンツサーバ１１との再接続回数（以下、Ｃと表記する）を零、つまりＣ＝０とする。次にステップＳ３３に進む。ステップＳ３３では、通信端末装置１００と接続されている回線がビジー状態であるか否かを判断する。ステップＳ３３において、前記回線がビジー状態であると判断した場合は、ステップＳ３４に進む。ステップＳ３３において、前記回線がビジー状態ではないと判断した場合は、ステップＳ３８に進む。
【００８０】
ステップＳ３４では、図５に示すコンテンツ指定登録画面のビジー再接続欄５８に入力された数値が「１」であるか否かを判断する。つまり、再接続するかどうかを判断する。ステップＳ３４において、前記ビジー再接続欄５８に入力された数値が「１」、つまり再接続すると判断された場合は、ステップＳ３５に進み、前記ビジー再接続欄５８に入力された数値が「１」ではない、つまり再接続しないと判断された場合は、ステップＳ３１に戻る。
【００８１】
ステップＳ３５では、前記ビジー再接続欄５８に入力された数値が「１」、すなわち前記回線がビジー状態である場合は再接続することになるので、前記再接続回数Ｃに１を加えたものを新たなＣとする。つまりＣ＝Ｃ＋１とする。次にステップＳ３６では、ユーザが予め指定した一定時間Ｔ１分、たとえば２分ごとに再接続を行う。次にステップＳ３７では、前記回線への再接続が無限に繰返し実行されることを避けるために、ユーザが予め指定した再接続回数（以下、Ｃｏと表記する）と実際の再接続回数Ｃとが一致、つまりＣ＝Ｃｏであるか否かを判断する。ステップＳ３７において、Ｃ＝Ｃｏであると判断した場合は、前記回線への再接続は行わずに、ステップＳ３１に戻り、次の本日の巡回時刻を待つ。ステップＳ３７において、Ｃ＝Ｃｏではないと判断した場合は、ステップＳ３３に戻る。
【００８２】
ステップＳ３８では、ユーザが指定した巡回時刻および頻度に基づいて、通信端末装置１００とコンテンツサーバ１１とを接続する。次にステップＳ３９では、コンテンツサーバ１１から取得したコンテンツデータを取得コンテンツデータ記憶部３２に記憶する。ステップＳ４０では、取得したコンテンツデータの優先順位（以下、Ｒｉと表記する）が、予め定めた優先順位（以下、Ｒｏと表記する）以内、つまりＲｉ≦ＲＯであるか否かを判断する。ここで、ＲｉのｉおよびＲＯのＯは、共に自然数である。
【００８３】
ステップＳ４０において、Ｒｉ≦ＲＯであると判断した場合は、ステップＳ４１に進み、Ｒｉ＞ＲＯであると判断した場合は、ステップＳ３１に戻る。ステップＳ４１では、取得コンテンツデータのサムネイルを生成する。次にステップＳ４２では、ステップＳ４１で生成したサムネイルと優先順位Ｒｉとを関連付けて、縮小コンテンツデータ記憶部３３に記憶するとともに、縮小コンテンツデータ記憶部３３に記憶されるサムネイルデータを更新する。なお本実施形態では、取得したコンテンツデータの優先順位Ｋｉが予め定めた優先順位Ｒｏ以外の場合、つまり取得したコンテンツデータの優先順位が低い場合は、このコンテンツデータに基づくサムネイルが表示部７に表示される確立は低いので、サムネイルを生成しないようにしている。
【００８４】
本実施形態において、表示部７に表示する最適なサムネイルの数を４個とすると、図８に示すように、コンテンツデータの配置位置８１，８２，８３，８４には、表示優先順位が１位から４位のコンテンツデータのサムネイルが配置されて表示される。またコンテンツデータの配置位置８５には、表示優先順位が５位から１０位のコンテンツデータのタイトルが配置されて表示される。
【００８５】
デジタル画像を縮小する場合に、高い表示品位が要求されなければ、単純に画素を間引く処理を行うダウンサンプリング法またはサブサンプリング法と呼ばれる手法が用いられる。これに対して高い表示品位が要求された場合は、隣接する画素データの等価平均を求めて新たな画素データを生成する平均操作法と呼ばれる手法が用いられる。さらに優れたデジタル画像を縮小するための手法があるが、小型のディスプレイでは表示できる画素数がたとえばＳＶＧＡに相当する１０２４×７６８ドットまたはそれ以下の画素数が実用的であり、その解像度には限界がある。したがって、過剰に高品位な縮小処理を行っても、コストが増加するだけで、コストの増加に伴った効果は期待できない。
【００８６】
図１１は、通信端末装置１００の取得コンテンツデータ記憶部３２の一例を示す図である。このように小型のディスプレイおよび記憶容量が限られたメモリを備える通信端末装置１００における取得コンテンツデータ記憶部３２は、大略的に図１１に示すようになっている。取得コンテンツデータ記憶部３２は、ＵＲＬ９１および取得コンテンツデータ９２を含んで構成される。さらに取得コンテンツデータ９２は、マークアップ言語で記述されたコンテンツデータのタイトルなどのＨＴＭＬ記述部９３および静止画像データなどの画像データ部９４など、データの属性を示す記述に加え、前記ＨＴＭＬ記述部９３および画像データ部９４などのリンク情報を含むデータ９５が、コンテンツデータごとにＵＲＬ９１と関連付けられて記憶される。
【００８７】
表示優先順位が高いコンテンツデータ、たとえば表示優先順位が４位までのコンテンツデータは、データが更新されるごとに、図１０のステップＳ４１においてサムネイルが生成される。しかし、取得コンテンツデータ記憶部３２から取出したコンテンツデータは、文字データおよび画像データが混在して構成されているので、一旦、仮想画面バッファ３４にビットマップ状に展開し、全体を画像イメージとして捉える。そして、コンテンツデータ縮小プログラム２３によって、コンテンツデータのサムネイルを生成して、縮小コンテンツデータ記憶部３３に記憶する。たとえば、ＳＶＧＡ相当の解像度でコンテンツデータをビットマップ状に展開し、このコンテンツデータをダウンサンプリング法または平均操作法により、コンテンツデータ縮小プログラム２３に基づいて演算を行う。これによってコンテンツデータのサムネイルが得られる。得られたコンテンツデータのサムネイルは、一旦、縮小コンテンツデータ記憶部３３に記憶される。
【００８８】
仮想画面バッファ３４は、表示画面バッファ３５と同じ容量の記憶領域で構成されており、縮小処理のみならず、ページスクロールの先読みバッファとして、次のページが選択されたとき、表示画面バッファ３５とのバンク切替えなどを行うことによって、有効に活用することができる。
【００８９】
【発明の効果】
以上のように本発明によれば、表示手段の表示領域が比較的小さな場合でも、ユーザは簡便にコンテンツデータを閲覧することができ、確実にコンテンツデータの内容を把握することができる。
【００９０】
また本発明によれば、前記縮小画像は、優先順位が高いコンテンツデータの順に表示手段に配列され、かつ表示される。したがってユーザは、優先順位の高いコンテンツデータを容易かつ即座に閲覧することができる。これによって利便性が向上する。
【００９１】
また本発明によれば、表示手段の表示領域が比較的小さな場合でも、ユーザは、優先度の高いコンテンツデータに基づく縮小画像と、優先度の低いコンテンツデータに基づくタイトルとの２種類のデータを一度にまとめて閲覧することができる。これによって利便性が向上する。
【００９２】
また本発明によれば、予めコンテンツデータ指定登録手段によって、ユニフォーム・リソース・ロケータ、コンテンツサーバを巡回する頻度およびコンテンツサーバからコンテンツデータを収集する日時を登録しておくだけで、所望するコンテンツデータを容易に得ることができ、即座にコンテンツデータを閲覧することができる。
【００９３】
また本発明によれば、ビジー状態のときに、ユーザは接続操作を行う必要がないので、利便性が向上する。
【００９４】
また本発明によれば、新たなコンテンツデータの閲覧を希望する場合は、コンテンツデータ接続閲覧手段を用いることによって、新しいコンテンツサーバへ接続して、新たなコンテンツデータを容易に閲覧することができる。
【００９５】
また本発明によれば、ユーザがコンテンツデータ接続閲覧手段によって閲覧したコンテンツデータに関する情報をコンテンツデータ指定登録手段に追加登録することによって、コンテンツデータ指定登録手段に登録されたコンテンツデータに関する情報を更新することができる。これによって更新されたコンテンツサーバへ接続して、新たなコンテンツデータを容易に閲覧することができる。
【図面の簡単な説明】
【図１】本発明の実施の一形態である通信端末装置１００の構成を示すブロック図である。
【図２】通信端末装置１００におけるコンテンツデータの登録処理、閲覧処理および表示処理を示すフローチャートである。
【図３】通信端末装置１００の入力操作部６および表示部７を示す図である。
【図４】インターネット選択画面を示す表示例である。
【図５】コンテンツデータの指定登録画面を示す表示例である。
【図６】入力操作部６における置数キー４５の一部を拡大して示す図である。
【図７】登録コンテンツデータ記憶部３１に記憶された登録コンテンツデータの一例を示す図である。
【図８】サムネイルおよびコンテンツデータのタイトルを示す表示例である。
【図９】ユーザによって選択されたサムネイルを等倍表示して示す図である。
【図１０】通信端末装置１００におけるオートパイロットのタイミングおよびサムネイルの生成処理を示すフローチャートである。
【図１１】通信端末装置１００の取得コンテンツデータ記憶部３２の一例を示す図である。
【符号の説明】
１  ＣＰＵ（Central Processing Unit）
２  ＲＯＭ（Read Only Memory)
３  ＲＡＭ（Random Access Memory）
４  通信部
５  計時部
６  入力操作部
７  表示部
８  印刷部
９  データバス
１０  インターネット
１１  コンテンツサーバ
１００  通信端末装置
【図１】
2004206464.tif 000003
【図２】
2004206464.tif 000004
【図３】
2004206464.tif 000005
【図４】
2004206464.tif 000006
【図５】
2004206464.tif 000007
【図６】
2004206464.tif 000008
【図７】
2004206464.tif 000009
【図８】
2004206464.tif 000010
【図９】
2004206464.tif 000011
【図１０】
2004206464.tif 000012
【図１１】
2004206464.tif 000013